(57)【要約】【課題】複数の打席を並設したゴルフ練習場において、大掛かりな装置を用いることなく、各打席から打ったゴルフボールを、効率よく回収して、各打席のティーアップ装置に導くことができるようにする。【解決手段】各々がティーアップ装置１０を備える複数の打席８を左右方向に並べて設けたプレーグラウンド６の前方に、落下面１３を配設したゴルフ練習場において、プレーグラウンド６の前端における各打席８に対応する個所に、対応するティーアップ装置１０にゴルフボール１１を導くゴルフボール導入口１２を設け、落下面１３に、各ゴルフボール導入口１２に向かって下向きに収束する傾斜面１４を設ける。【選択図】  図２
2011004971.tif 000002
【特許請求の範囲】
【請求項１】
各々がティーアップ装置を備える複数の打席を左右方向に並べて設けたプレーグラウンドの前方に、前記打席から飛来してきたゴルフボールが落下する落下面を配設したゴルフ練習場において、
プレーグラウンドの前端における各打席に対応する個所に、対応するティーアップ装置にゴルフボールを導くゴルフボール導入口を設け、前記落下面に、前記各ゴルフボール導入口に向かって下向きに収束する傾斜面を設けたことを特徴とするゴルフ練習場。
【請求項２】
落下面に、各ゴルフボール導入口から前方に向かって上向き傾斜するとともに、両側縁が平面視において前記ゴルフボール導入口から前方に向かって拡開する第１傾斜面と、互いに隣接する１対の打席の中間点から前方を向く稜線から、前記第１傾斜面の側縁に向かって下向き傾斜する第２傾斜面とを設けた請求項１記載のゴルフ練習場。
【請求項３】
落下面に、各ゴルフボール導入口から前方に向かって上向き傾斜する谷線を形成し、この谷線の両側の落下面を、前記谷線に向かって下向き傾斜する傾斜面とした請求項１記載のゴルフ練習場。
【請求項４】
落下面に、各ゴルフボール導入口を中心として放射方向に上向き傾斜する、すり鉢状の傾斜面を設けた請求項１記載のゴルフ練習場。
【請求項５】
単一の打席の左右両側に、ティーアップ装置とゴルフボール導入口とを設けた請求項１〜４のいずれかに記載のゴルフ練習場。
【発明の詳細な説明】
【技術分野】
【０００１】
本発明は、複数のプレイヤーが同時に使用可能なゴルフ練習場に関する。
【背景技術】
【０００２】
従来のゴルフ練習場においては、打席から飛来してきたゴルフボールが落下する落下面(ゴルフグリーン)を、前後方向の中間部が谷となる側面視Ｖ字状の傾斜面に形成しておき、打席から飛来してくるゴルフボールが、落下面を囲むネットや壁等にはね返された後、または直接、上記傾斜面に落下し、その傾斜面に沿って転動した後、上記谷の部分に設けた集球溝に落下し、その集球溝に導かれて、ピット装置に集められ、そこで、または専用の洗浄装置に送られて、洗浄された後、分配装置の配管を通して、プレーグラウンドの各打席に設けられたティーアップ装置に自動供給されるようにしたものが多い(例えば、特許文献１および２参照)。
【０００３】
また、落下面を、打撃台に向かって下り傾斜するスロープに形成しておき、そのスロープに沿って転動してくるゴルフボールを、打撃台の下に設けた回収通路を介して、打撃台に設けた回収部に導くようにしたものもある(例えば、特許文献３参照)。
【先行技術文献】
【特許文献】
【０００４】
【特許文献１】実公平７−４５２５３号公報
【特許文献２】特開平７−１１２０４５号公報
【発明の概要】
【発明が解決しようとする課題】
【０００５】
特許文献１および２に記載されているゴルフ練習場は、集球溝や、集球したゴルフボールを貯留するピット装置、さらには、ゴルフボールを各打席のティーアップ装置に供給するための搬送コンベヤや輸送用ポンプ等の多くの装置を必要とし、構造が複雑で、導入コストが高くつくだけでなく、定期的なメンテナンスや故障の発生に対応しなければならず、ランニングコストも高くつくという問題がある。
【０００６】
本発明は、従来の技術が有する上記のような問題点に鑑み、複数の打席を並設したゴルフ練習場において、大掛かりな装置を用いることなく、各打席から打ったゴルフボールを、効率よく回収して、各打席のティーアップ装置に導くことができるようにすることを目的としている。
【課題を解決するための手段】
【０００７】
本発明によると、上記課題は、次のようにして解決される。
(１)  各々がティーアップ装置を備える複数の打席を左右方向に並べて設けたプレーグラウンドの前方に、前記打席から飛来してきたゴルフボールが落下する落下面を配設したゴルフ練習場において、プレーグラウンドの前端における各打席に対応する個所に、対応するティーアップ装置にゴルフボールを導くゴルフボール導入口を設け、前記落下面に、前記各ゴルフボール導入口に向かって下向きに収束する傾斜面を設ける。
【０００８】
このような構成とすると、各打席から、それに対応するゴルフボール導入口に向かって下向きに収束する傾斜面によって定められる方向角度範囲内に向かって打撃されたゴルフボールは、正面の壁またはネットにはね返された後、または直接、上記傾斜面に落下した後、その傾斜面に沿って転動し、ゴルフボール導入口よりティーアップ装置に導かれ、ティーアップ装置によりティーアップされて、繰り返し打撃練習に使用することができる。
【０００９】
したがって、従来のような大掛かりなゴルフボール回収装置を介することなく、打席より打ったゴルフボールを、効率よく回収して、各打席のティーアップ装置に導くことができる。特に、各打席から、それに対応するゴルフボール導入口に向かって収束する傾斜面によって定められる方向角度範囲内に向かって打撃されたゴルフボールは、確実に上記打席のティーアップ装置に回収され、その回収効率がよい。
【００１０】
(２)  上記(１)項において、落下面に、各ゴルフボール導入口から前方に向かって上向き傾斜するとともに、両側縁が平面視において前記ゴルフボール導入口から前方に向かって拡開する第１傾斜面と、互いに隣接する１対の打席の中間点から前方を向く稜線から、前記第１傾斜面の側縁に向かって下向き傾斜する第２傾斜面とを設ける。
【００１１】
このような構成とすると、打席から打たれた大部分のゴルフボールは、前記第１傾斜面に落下して、打席側にはね返され、最終的にゴルフボール導入口に確実に導かれる。
【００１２】
(３)  上記(１)項において、落下面に、各ゴルフボール導入口から前方に向かって上向き傾斜する谷線を形成し、この谷線の両側の落下面を、前記谷線に向かって下向き傾斜する傾斜面とする。
【００１３】
このような構成とすると、落下面上に落下したゴルフボールは、最終的に谷線に沿って１列に整列して、ゴルフボール導入口に導かれるので、ゴルフボール導入口に円滑に進入することができ、ゴルフボール導入口に複数のゴルフボールが乱雑に殺到して、詰まるといった現象を解消させることができる。
【００１４】
(４)  上記(１)項において、落下面に、各ゴルフボール導入口を中心として放射方向に上向き傾斜する、すり鉢状の傾斜面を設ける。
【００１５】
このような構成とすると、傾斜面のどこに落下したゴルフボールも、理論的には直線状の最短距離のコースを通って、ゴルフボール導入口に向かって転動し、効率よくゴルフボール導入口に回収される。
【００１６】
(５)  上記(１)〜(４)項のいずれかにおいて、単一の打席の左右両側に、ティーアップ装置とゴルフボール導入口とを設ける。
【００１７】
このような構成とすると、上記打席においては、プレイヤーは、右打ちおよび左打ちのいずれによってもプレーすることができ、特に、少数の左打ちのプレイヤーにも対応することができる。
【００１８】
(６)  上記(５)項において、単一の打席の左右両側に設けたゴルフボール導入口の前方に、前方に向かって上向き傾斜する共通の傾斜面と、該傾斜面に沿って後方に向かって転動してきたゴルフボールを、左右いずれかのゴルフボール導入口に選択的に導くガイド手段とを設ける。
【００１９】
このような構成とすると、右打ちのプレイヤーがプレイするときは、ガイド手段を、右打ち用のティーアップ装置に接続されたゴルフボール導入口にゴルフボールが案内されるようにしておき、左打ちのプレイヤーがプレイするときは、ガイド手段を、左打ち用のティーアップ装置に接続されたゴルフボール導入口にゴルフボールが案内されるようにしておくことにより、ゴルフボールが、使用しない方のティーアップ装置に接続されたゴルフボール導入口に導入されるのを防止することができる。
【００２０】
(７)  上記(６)項において、ガイド手段を、共通の傾斜面の左右方向の中間部に枢着され、前記傾斜面に沿って後方に向かって転動してきたゴルフボールを、左方のゴルフボール導入口に導く第１位置と、右方のゴルフボール導入口に導く第２位置とに回動可能なダンパとする。
【００２１】
このような構成とすると、ダンパを第１位置か第２位置に切り換えるだけで、使用モードを、右打ち用と左打ち用とに簡単に切り替えることができる。
【００２２】
(８)  上記(１)〜(７)項のいずれかにおいて、ティーアップ装置を、ゴルフボール導入口より導入したゴルフボールを、ティーの上端に載置して、各打席のプレーグラウンド上面に設けた供給孔より上昇させるようにしたものとする。
【００２３】
このような構成とすると、ティーアップ装置へのゴルフボールの供給手段の構成を簡素化することができ、ティーアップ装置に、従来のような大掛かりなゴルフボール回収装置からゴルフボールを供給する必要がなくなる。
【発明の効果】
【００２４】
本発明によると、複数の打席を並設したゴルフ練習場において、大掛かりな装置を用いることなく、各打席から打ったゴルフボールを、効率よく回収して、各打席のティーアップ装置に導くことができる。
【図面の簡単な説明】
【００２５】
【図１】本発明のゴルフ練習場の第１の実施形態の平面図である。
【図２】同じく、右側部を斜め前方より見た斜視図である。
【図３】図１のIII−III線に沿う拡大縦断側面図である。
【図４】図３図示のティーアップ装置を、閉塞板を外した状態で示す平面図である。
【図５】本発明の第２の実施形態における、図２と同様の斜視図である。
【図６】本発明の第３の実施形態における、図２と同様の斜視図である。
【図７】本発明の第４の実施形態における、図２と同様の斜視図である。
【発明を実施するための形態】
【００２６】
次に、本発明の実施形態を、添付図面を参照して説明する。
図１〜図４は、本発明のゴルフ練習場の第１の実施形態を示す。なお、図１における上方(図中の符号「１４」側)を後方、下方(図中の符号「８」側)を前方、左方を左方、右方を右方とする。
図１および図２に示すように、このゴルフ練習場は、前壁１、後壁２、および両側壁３、３により囲まれた部屋４の床面５(図３参照)における後壁２寄りの部分に設けた、左右方向に長いステージ状のプレーグラウンド６を備えている。
各壁１〜３の内側には、必要に応じて、ネット７が張設されている。また、部屋４が広い場合や、屋外においては、前壁１、後壁２、または側壁３を、ネット７のみで構成することもある。
【００２７】
プレーグラウンド６には、複数(図示の例では６個)の打席８が、前後方向を向く仕切板９によって仕切られて、左右方向に並べて形成されている。
各打席８には、ティーアップ装置１０が、プレーグラウンド６内に埋没するようにして設けられている。
６個の打席８のうち、右端のものを除く５個の打席８には、１個のティーアップ装置１０が、右打ち用として、各打席８の右側部に配設されており、右端の打席８には、２個のティーアップ装置１０、１０が、右打ち用(右側部のもの)と左打ち用(左側部のもの)として、両側部に設けられている。
【００２８】
プレーグラウンド６の前端面６ａには、各打席８に対応する個所、図示の例では、各ティーアップ装置１０の前端に対応する個所に、対応するティーアップ装置１０にゴルフボール１１を導くゴルフボール導入口(以下単に導入口という)１２が設けられている。
右端の打席８においては、単一の打席８の左右両側に、ティーアップ装置１０と導入口１２とが設けられている。
【００２９】
プレーグラウンド６の前方における部屋４の床面５上に設けられ、かつ打席８から飛来してきたゴルフボール１１が落下する落下面(ゴルフグリーン)１３には、各導入口１２に向かって下向きに収束する傾斜面１４が設けられている。この落下面１３は、人工芝により形成するのが好ましいが、単なる板材等により形成することもできる。
【００３０】
図１に示す例では、各傾斜面１４は、各導入口１２から前方に向かって上向き傾斜するとともに、両側縁が平面視において導入口１２から前方に向かって拡開する第１傾斜面１４ａと、互いに隣接する１対の打席８、８の中間点、すなわち仕切板９の位置から前方を向く稜線１５から、第１傾斜面１４ａの側縁に向かって下向き傾斜する第２傾斜面１４ｂとからなるものとしてある。図２には、第１および第２傾斜面１４ａ、１４ｂの下向き傾斜方向を矢印で示してある。
【００３１】
右端の打席８の前方における落下面１３には、その打席の中央から前方を向く稜線１５が形成され、その稜線１５を挟む左右両側に、第１傾斜面１４ａと第２傾斜面１４ｂとからなる１対の傾斜面１４、１４が設けられている。
【００３２】
図３および図４に示すように、各ティーアップ装置１０は、プレーグラウンド６内に埋没するようにして、床面５上に設けられた、上面が開口する直方体状のケース１６と、このケース１６の上端開口部を閉塞するようにして、ケース１６上に着脱自在に載置され、かつプレーグラウンド６の上面と整合するようにした前後１対の閉塞板１７、１８と、ケース１６の前部に設けられたボール送り装置１９と、ケース１６の後部に設けられたティーアップ機２０とを備えている。
【００３３】
ボール送り装置１９は、前部の整列装置２１と後部の縦送り装置２２とからなっている。
前部の整列装置２１は、上記導入口１２と整合するようにして、ケース１６の前端面に設けた開口２３より縦送り装置２２の供給位置２４に向かって下傾するとともに、平面視においてホッパー状に後方に向かって収束するガイド２５と、このガイド２５の底板２５ａ上に前後方向に摺動自在に載置された平面視三角形のスライド板２６と、縦送り装置２２における左右方向を向く駆動軸２７に固着されたクランク２８に、クランクピン２９をって後端部が連結され、かつ前端部がスライド板２６に、左右方向の軸３０をもって連結された連接杆３１とを備え、駆動軸２７とクランク２８とが、送り用モータ３２(図４参照)の作動により回転させられることによって、連接杆３１を介して、スライド板２６が前後方向に往復運動させられ、導入口１２よりガイド２５内に導入された多数のゴルフボール１１を、目詰まりすることなく、１個ずつ整然と供給位置２４に供給しうるようになっている。
【００３４】
また、この整列装置２１は、クランク２８の回転に伴うスライド板２６の前後動作により、ガイド２５およびそれに連なる導入口１２周辺の傾斜面１４を振動させて、導入口１２周辺に積み重なるようにして凝集した多数のゴルフボール１１の積み重なり状態を解消させる振動装置としての機能をも備えている。
【００３５】
縦送り装置２２は、上記駆動軸２７に固嵌したスプロケット３３と、その上方において、ケース１６に枢支したスプロケット３４とに掛け回した無端チェーン３５に、複数のボール受け爪３６を、回走方向に等間隔をもって外向きに突設し、送り用モータ３２の作動により、駆動軸２７とスプロケット３３とを、図３における時計回りに回転させることにより、供給位置２４にあるゴルフボール１１を、ボール受け爪３６上に載置して、ティーアップ機２０における傾斜樋３７の前端部上まで上方に搬送しうるようになっている。
【００３６】
ティーアップ機２０は、傾斜樋３７の後方に設けた左右方向を向く駆動軸３８を、ティーアップ用モータ３９(図４参照)により、図３における時計回りに回転させることにより、駆動軸３８に固嵌したボール送りドラム４０を同方向に回転させ、ボール送りドラム４０と一体的に設けたボール送り爪４１により、傾斜樋３７の後端部におけるゴルフボール１１を、後方に向かって下傾する案内樋４２の前部に移載しうるようになっている。
【００３７】
また、駆動軸３８に固嵌したクランク４３が、ボール送りドラム４０と一体となって回転することにより、クランク４３の遊端部に突設したクランクピン４４が、後部に設けた長手方向を向く長孔４５に摺動自在に嵌合するようにした前後方向を向くクランクレバー４６の後部を、上下方向に回動しうるようになっている。
【００３８】
クランクレバー４６の前部には、長手方向を向く長孔４７が設けられており、この長孔４７を、ケース１６に架設した左右方向を向く軸４８に摺動自在に嵌合することにより、クランクレバー４６は、軸４８を中心として回動しうるとともに、長孔４７内を軸４８が相対的に遊動しうる範囲において、前後方向に移動しうるようになっている。
【００３９】
クランクレバー４６の後端部は、ケース１６内に設けた上下方向を向くガイドレール４９に沿って上下動可能とした昇降体５０に、左右方向を向く軸５１をもって連結されている。
昇降体５０上には、上端でゴルフボール１１を支持しうるようにしたゴム等の弾性体からなる円筒状のティー５２の下端が固着されている。
【００４０】
ティー５２は、クランク４３の回転に伴うクランクレバー４６の上下回動により、図３に示すように、後部の閉塞板１８に設けた供給孔５３を通って上方に突出し、上端で支持したゴルフボール１１を、プレーグラウンド６の上面より高い位置に保持する上昇位置と、図示は省略したが、上端が案内樋４２の後端より下方に位置する下降位置との間を上下動することができる。
【００４１】
昇降体５０の上面、またはティー５２内には、ティー５２の上端にゴルフボール１１が存在するか否かを判別する判別センサ(図示略)が設けられている。
【００４２】
クランクレバー４６の前端部と、その下方におけるケース１６の適所との間には、引張コイルばね５４が張設され、クランクレバー４６における軸４８より後方の部分、昇降体５０、ティー５２等の重量とバランスさせ、ティー５２の昇降時におけるティーアップ用モータ３９の負荷を軽減できるようにしてある。
【００４３】
クランクレバー４６の前端部における長孔４７の下方には、下方に向かって延出する二股部５５が設けられており、この二股部５５により、傾斜樋３７の下端部に設けたスライド板５６の側面に突設したピン５７を前後から挟むことにより、クランクレバー４６の回動および前後動により、ピン５７を介してスライド板５６を前後動させ、傾斜樋３７におけるゴルフボール１１の詰まりを防止しうるようにしてある。
【００４４】
このような構成のティーアップ装置１０によると、主電源(図示略)を投入した状態で、判別センサが、ティー５２上にゴルフボール１１が存在しないことを検出すると、ティーアップ用モータ３９が作動させられ、クランク４３とボール送りドラム４０とが、図３における時計回りに回転させられて、クランクレバー４６の下向き回動により、ティー５２が下降位置まで下降させられるとともに、傾斜樋３７上の最後端のゴルフボール１１が、ボール送り爪４１により、案内樋４２上に移載され、案内樋４２上を後方に転動して、下降位置におけるティー５２の上端に載置される。
【００４５】
引き続くクランク４３の回転により、ティー５２は、上端にゴルフボール１１を載置した状態で、供給孔５３を通って、図３に示す上昇位置まで上昇し、そこで停止する(その停止の指令は、クランク４３の回転を検出するロータリーセンサまたはリミットスイッチ等より発するようにすればよい)。
【００４６】
ティーアップ用モータ３９の作動と同時に、送り用モータ３２が作動させられ、無端チェーン３５が、予め定めた１ピッチ分だけ無端回走させられて、供給位置２４に位置しているゴルフボール１１が、傾斜樋３７の前端部に移載され、補充される。
【００４７】
また、無端チェーン３５の回走とともに、スライド板２６が前後動させられて、ガイド２５内に導入された多数のゴルフボール１１が前後動させられ、そのうちの１個が、目詰まりすることなく、供給位置２４に供給される。
【００４８】
したがって、導入口１２より回収されたゴルフボール１１は、ティー５２上のゴルフボール１１がプレーヤーによって打たれる度毎に、１個ずつ後方に送られて、自動的にティーアップされる。
【００４９】
以上は、ティーアップ装置１０の主要な構成と作用を説明したものであるが、実際には、ティーアップ装置１０には、ティーアップされるゴルフボール１１の数をカウントする計数装置や、ゴルフボール１１の供給を円滑に行うための各種センサが設けられ、また各打席８には、ティーアップ装置１０を制御する制御装置等が設けられるが、それらについては本発明に直接関係しないため、詳細な説明は省略する。
【００５０】
第１の実施形態は、上記のような構成としてあるので、各打席８から、それに対応する導入口１２に向かって下向きに収束する傾斜面１４によって定められる方向角度範囲内に向かって打撃されたゴルフボール１１は、正面の前壁１もしくはネット７にはね返された後、または直接、上記傾斜面１４に落下した後、その傾斜面１４に沿って転動し、導入口１２よりティーアップ装置１０に導かれ、ティーアップ装置１０によりティーアップされて、繰り返し打撃練習に使用することができる。
【００５１】
したがって、従来のような大掛かりなゴルフボール回収装置を介することなく、打席８より打ったゴルフボール１１を、効率よく回収して、各打席８のティーアップ装置に導くことができる。特に、各打席８から、それに対応する導入口１２に向かって収束する傾斜面１４によって定められる方向角度範囲内に向かって打撃されたゴルフボール１１は、確実に上記打席８のティーアップ装置１０に回収され、その回収効率がよい。
【００５２】
また、傾斜面１４を、第１傾斜面１４ａと第２傾斜面１４ｂとからなるものとすると、打席８から打たれた大部分のゴルフボール１１は、第１傾斜面に落下して、打席側にはね返され、最終的にゴルフボール導入口に確実に導かれる。
【００５３】
第１の実施形態においては、落下面１３を、第１傾斜面１４ａと第２傾斜面１４ｂとからなる傾斜面１４を備えるものとしてあるが、例えば、図５に示す本発明の第２の実施形態のように、落下面１３を、各導入口１２から前方に向かって上向き傾斜する谷線６１を形成し、この谷線６１の両側に、谷線６１に向かって下向き傾斜する傾斜面６２、６２を有するものとしたり、図６に示す本発明の第３の実施形態のように、落下面１３を、各導入口１２を中心として放射方向に上向き傾斜する、すり鉢状の傾斜面６３を備えるものとしたりすることができる。
なお、図５および図６において、第１の実施形態におけるのと同一または類似の部材には、同一の符号をもって図示し、それらについての詳細な説明は省略する(後述する第４の実施形態においても同様とする)。
【００５４】
第２の実施形態のような構成とすると、落下面１３上に落下したゴルフボール１１は、最終的に谷線６１に沿って１列に整列して、導入口１２に導かれるので、導入口１２に円滑に進入することができ、導入口１２に複数のゴルフボール１１が乱雑に殺到して、詰まるといった現象を解消することができる。
【００５５】
また、第３の実施形態のような構成とすると、傾斜面６３のどこに落下したゴルフボール１１も、理論的には直線状の最短距離のコースを通って、導入口１２に向かって転動し、効率よく導入口に回収することができる。
【００５６】
図７は、本発明のゴルフ練習場の第４の実施形態を示す。
この実施形態においては、右端の単一の打席８の左右両側に設けた導入口１２の前方に、前方に向かって上向き傾斜する共通の傾斜面６４と、この傾斜面６４に沿って後方に向かって転動してきたゴルフボール１１を、左右いずれかの導入口１２に選択的に導くガイド手段６５とを設けてある。
【００５７】
図７に示す例では、ガイド手段６５は、共通の傾斜面６４の左右方向の中間部に、傾斜面６４と直交する軸６６をもって枢着され、かつ傾斜面６４に沿って後方に向かって転動してきたゴルフボール１１を、左方の導入口１２に導く実線で示す第１位置と、右方の導入口１２に導く２点鎖線で示す第２位置とに回動可能としたダンパ６７としてある。
プレーグラウンド６の前端面６ａには、ダンパ６７の後端部が回動しうるようにするための平面視円弧状の凹入部６８が設けられている。
【００５８】
第４の実施形態においては、右打ちのプレイヤーがプレイするときは、ガイド手段６５を、右打ち用のティーアップ装置１０に接続された導入口１２にゴルフボール１１が案内されるようにしておき、左打ちのプレイヤーがプレイするときは、ガイド手段６５を、左打ち用のティーアップ装置１０に接続された導入口１２にゴルフボール１１が案内されるようにしておくことにより、ゴルフボール１１が、使用しない方のティーアップ装置１０に接続された導入口１２に導入されるのを防止することができる。
【００５９】
また、ガイド手段６５をダンパ６７としたことにより、ダンパ６７を第１位置か第２位置に切り換えるだけで、使用モードを、右打ち用と左打ち用とに簡単に切り替えることができる。
【００６０】
本発明は、上記実施形態のみに限定されるものではなく、特許請求の範囲を逸脱することなく、幾多の変形した態様での実施が可能である。
例えば、ガイド手段６５を、互いに上下反転させて、共通の傾斜面６４上に、左右いずれかの側縁に沿わせて載置することにより、左右１対の導入口１２のいずれか一方を閉塞し、かつ傾斜面６４上を後方に向かって転動してくるゴルフボール１１が、傾斜辺に沿って、他方の導入口１２に導かれるようにした平面視三角形のブロックとしてもよい。
【００６１】
また、本発明は、落ち葉や塵埃等の混入のおそれの少ない室内用のゴルフ練習場に適しているが、屋外用のゴルフ練習場にも適用できることはいうまでもない。
【符号の説明】
【００６２】
１  前壁
２  後壁
３  側壁
４  部屋
５  床面
６  プレーグラウンド
６ａ前端面
７  ネット
８  打席
９  仕切板
１０  ティーアップ装置
１１  ゴルフボール
１２  ゴルフボール導入口
１３  落下面
１４  傾斜面
１４ａ第１傾斜面
１４ｂ傾斜面
１５  稜線
１６  ケース
１７、１８  閉塞板
１９  ボール送り装置
２０  ティーアップ機
２１  整列装置
２２  縦送り装置
２３  開口
２４  供給位置
２５  ガイド
２５ａ底板
２６  スライド板
２７  駆動軸
２８  クランク
２９  クランクピン
３０  軸
３１  連接杆
３２  送り用モータ
３３、３４  スプロケット
３５  無端チェーン
３６  ボール受け爪
３７  傾斜樋
３８  駆動軸
３９  ティーアップ用モータ
４０  ボール送りドラム
４１  ボール送り爪
４２  案内樋
４３  クランク
４４  クランクピン
４５  長孔
４６  クランクレバー
４７  長孔
４８  軸
４９  ガイドレール
５０  昇降体
５１  軸
５２  ティー
５３  供給孔
５４  引張コイルばね
５５  二股部
５６  スライド板
６１  谷線
６２、６３、６４  傾斜面
６５  ガイド手段
６６  軸
６７  ダンパ
６８  凹入部
【図１】
2011004971.tif 000003
【図２】
2011004971.tif 000004
【図３】
2011004971.tif 000005
【図４】
2011004971.tif 000006
【図５】
2011004971.tif 000007
【図６】
2011004971.tif 000008
【図７】
2011004971.tif 000009